(57)【要約】【課題】ノズル内の液剤が容器内に逆流することのない２液混合吐出器を提供すること。【解決手段】液剤が収納された２つの収納容器と、液剤を収納容器から押し出す押出器と、液剤を混合するノズルと、弁体と、を備えている。弁体は、前面に設けられた、２つの弁片とノズルの内面の全周にわたり連続して少なくとも一部が密着する側面と、を有している。更に弁片は、弁流路の内部を弁体の前面側に連通させる開口線を、弁片の周縁の一部に備え、かつ、弁片は、後面の方向に球面状に凹ませてある。【選択図】図１
2016159236.tif 000002
【特許請求の範囲】
【請求項１】
液剤が収納された２つの収納容器と、
前記収納容器を押圧して、前記液剤を前記収納容器の吐出路から押し出す押出器と、
前記吐出路に取り付けられ、前記収納容器から吐出された２つの前記液剤を混合するノズルと、
前記ノズルと前記吐出路との間に取り付けられた弁体と、
を備え、
前記弁体は、
前記収納容器のそれぞれの前記吐出路に接続される２つの弁流路と、
前記液剤が吐出する方向に面した前記弁体の前面に設けられた、前記２つの弁流路に対応した２つの弁片と、
前記弁体の後面に設けられた、前記２つの弁流路に連通し、前記収納容器のそれぞれの前記吐出路に接続される２つの弁流入部と、
前記前面と前記後面との間に設けられた、前記ノズルの内面の全周にわたり連続して少なくとも一部が密着する側面と、を有し、
更に前記弁片は、前記弁流路の内部を前記弁体の前面側に連通させる開口線を、前記弁片の周縁の一部に備え、かつ、前記弁片は、前記後面の方向に凹ませてあることを特徴とする弁体を備えた２液混合吐出器。
【請求項２】
前記側面は、前記ノズルの内面に密着する部分が前記弁体の中心に対して傾斜して形成してあり、
前記弁片は、前記前面と前記側面とが交差する個所に、前記前面と前記側面の双方にわたり設けられていることを特徴とする請求項１に記載の弁体を備えた２液混合吐出器。
【請求項３】
前記弁体は、前記前面と前記後面が平行に設けられ、前記側面が前記前面と前記後面との間に円錐台状に形成されていることを特徴とする請求項２に記載の弁体を備えた２液混合吐出器。
【請求項４】
前記弁片の開口線は、前記弁体の一部を切断して形成したことを特徴とする請求項１〜３のいずれか１項に記載の弁体を備えた２液混合吐出器。
【請求項５】
前記弁片は、前記後面の方向に球面状に凹ませてあることを特徴とする請求項１〜４のいずれか１項に記載の弁体を備えた２液混合吐出器。
【発明の詳細な説明】
【技術分野】
【０００１】
本発明は、２つの容器に収納された液剤を混合して吐出する、弁体を備えた２液混合吐出器に関する。
【背景技術】
【０００２】
２液混合吐出器は、液剤の収納された２つの収納容器と混合羽根を配した混合ノズルとを備え、作業者が操作レバーを操作すると、各収納容器から吐出された液剤が混合ノズル内の混合羽根を通過して吐出される。エポキシ樹脂等の２液硬化型接着剤の主剤と硬化剤とが各収納容器に収納された２液混合吐出器は、操作レバーの操作により、主剤と硬化剤とが適宜混合された状態でノズルから吐出されることから、工事現場等で使い勝手のよい器具として知られている。
【先行技術文献】
【特許文献】
【０００３】
【特許文献１】特開２０１１−１０１８４５号公報
【発明の概要】
【発明が解決しようとする課題】
【０００４】
液剤の入った２つの収納容器と内部に混合羽根を配した混合ノズルとを備えた２液混合吐出器は、作業しない状態が続くとノズル内の液剤が空気と共に逆流し、容器内に流れ込んでしまうことがある。そのとき、液剤が他方の容器内に入り込むと、液剤が他方の液剤と反応して硬化してしまうこと等が発生する。又、主剤と硬化剤の混合比率に変動が生じ、適正な接着剤の強度が得られなかったり、硬化反応が発生しない等のおそれがある。
【０００５】
本発明は、２液混合吐出器の液剤の入った２つの収納容器の液剤の逆流を防止でき、２つの液剤の粘性あるいは比重が異なる場合においても他方の容器への液剤の流入を防止でき、液剤混合比率を安定させることができる２液混合吐出器を提供することを目的とする。
【課題を解決するための手段】
【０００６】
上記の課題を解決するために、本発明は、２液混合吐出器を次のように構成した。２液混合吐出器は、液剤が収納された２つの収納容器と、収納容器を押圧して、液剤を収納容器の吐出路から押し出す押出器と、収納容器の吐出路に取り付けられ、各収納容器から押し出された２つの液剤を混合する混合羽根を内部に配したノズルと、収納容器とノズルとの間に取り付けられた弁体と、収納容器に弁体及びノズルを留めるキャップとを備えている。
【０００７】
弁体は、収納容器のそれぞれの吐出路に接続される２つの弁流路と、収納容器内の液剤が吐出される方向に面した弁体の前面に設けられた、２つの弁流路に対応した２つの弁片と、弁片の後面に設けられた、２つの弁流路に連通し、収納容器のそれぞれの吐出口に接続される２つの弁流入部と、弁体前面と後面との間に設けられた弁体の側面が、ノズルの内壁の全周にわたり連続して全面あるいは少なくとも一部が密着する側面と、を有している。
【０００８】
更に弁体の弁片は、弁体の弁流路を弁体の前面に向けて連通させる開口線を、弁片の周縁の一部に備え、且つ、弁片は、弁体後面の方向に湾曲した球面状に凹ませてある。
【発明の効果】
【０００９】
本発明によれば、ノズル内部から容器内へ液剤の逆流、他方の容器への液剤の流入が生じない２液混合吐出器を提供することができる。このことにより、安定した混合比率で液剤が吐出され、液剤の適正な使用目的を達成させることができ、更に、使いかけの液剤を収納容器内部に保存することができる。
【図面の簡単な説明】
【００１０】
【図１】本発明にかかる２液混合吐出器の一実施形態を示す分解斜視図。
【図２】カートリッジを示す分解図。
【図３】弁体を示す正面図。
【図４】弁体を示す断面図。
【図５】弁体を示す平面図。
【図６】弁体を示す底面図。
【図７】弁体部分を示す容器本体の部分断面図。
【図８】弁体部分を示す容器本体の部分断面図。
【図９】弁体部分を示す容器本体の部分断面図。
【発明を実施するための形態】
【００１１】
以下、本発明にかかる一実施形態の２液混合吐出器について説明する。図１は、分解した２液混合吐出器１０を斜め上方から示す分解斜視図である。２液混合吐出器１０は、図１に示すように、液剤を収納したカートリッジ１２と、カートリッジ１２から液剤を押し出す押出器１４とを備えている。以下、２液混合吐出器１０について、基本的に、カートリッジ１２のノズル１６の側を前方とし、その逆を後方とし、又、押出器１４に対して握り部５２が取り付けられている側を２液混合吐出器１０の下方とし、その逆を上方として説明する。
【００１２】
押出器１４は、図１に示すように、カートリッジ１２を装填する装填部５０と、握り部５２と、操作レバー５４と、押込部材５６とを備えている。装填部５０は、カートリッジ１２が収容できる空間を有している。装填部５０の前方には、カートリッジ１２のノズル１６が突出する切欠き部５８が設けられている。
【００１３】
装填部５０の下部には、握り部５２が固定されている。握り部５２の前方には、操作レバー５４が揺動自在に取り付けられている。操作レバー５４は、押込部材５６の駆動機構に連結している。
【００１４】
押込部材５６は、左右２か所に押し板５７、５９を有している。作業者が操作レバー５４を作動させると、駆動機構により押込部材５６が駆動し、押し板５７、５９が所定量ずつ前進する。押し板５７、５９は、操作レバー５４の操作により装填部５０内で同一に前後進し、後述する第１容器２４及び第２容器２５の底板２８、２９を前方に押圧する。図２に、カートリッジ１２を分解して示す分解図を示す。
【００１５】
カートリッジ１２は、図２に示すように、ノズル１６と、弁体１８と、キャップ２０と、容器本体２２とを備えている。容器本体２２は、第１容器２４と第２容器２５とから構成されている。第１容器２４と第２容器２５は、請求項でいう収納容器である。
【００１６】
第１容器２４と第２容器２５は、共に円筒形の容器で、同一の長さを有している。径は、第１容器２４の方が、第２容器２５より大きい。第１容器２４は、内部に底板２８を長手方向に沿って移動自在に備えている。第２容器２５は、内部に底板２９を長手方向に沿って移動自在に備えている。第１容器２４と第２容器２５は、それぞれ内部に液剤を収納している。
【００１７】
尚、第１容器２４と第２容器２５は、円筒形でなくともよく、又、同一の径でもよい。更に、第１容器２４内の液剤と第２容器２５内の液剤とを、適切な比率で混合できるようにするために、それぞれの径を変更してもよい。但し、これは、液剤の本来決められている混合比に帰属することとなる。
【００１８】
第１容器２４は、先端に第１吐出部３０を備えている。第２容器２５は、先端に第２吐出部３２を備えている。第１吐出部３０と第２吐出部３２は、それぞれ半円筒状であり、第１吐出部３０と第２吐出部３２とにより、円筒形の取付部３４が容器本体２２の先端に形成されている。
【００１９】
図８に示すように、第１吐出部３０の内部には、第１容器２４の内部に連通する第１吐出路３６が形成されている。第２吐出部３２の内部には、第２容器２５の内部に連通する第２吐出路３８が形成されている（いずれも図８参照）。第１吐出路３６と第２吐出路３８はともに、横断面が、２つの円弧を組み合わせたような凸レンズ形状を有し、取付部３４の前端面（図２の上方の面）に開口している。尚、第１吐出路３６等の開口形状は、凸レンズ型に限るものではない。
【００２０】
取付部３４の外周面には、雄ねじ部３５が形成されている。雄ねじ部３５は、キャップ２０の雌ねじ部に対応している。取付部３４には、後述する弁体１８を挟んで、ノズル１６が取り付けられる。
【００２１】
ノズル１６は、環状の組付部４０と、組付部４０に連続した傾斜部４２と、傾斜部４２に連続したノズル部４４と、ノズル部４４の先方に設けられた先細部４８とを備えている。更に、ノズル部４４の内部には、混合羽根４６（図７参照）が挿入されている。
【００２２】
組付部４０は、円筒形で、図７に示すように、内径が、雄ねじ部３５の先方のねじが形成されていない面の径に等しく形成されている。傾斜部４２は、組付部４０から連続して形成されている。傾斜部４２は、図７に示すように、ノズル１６の中心に向けて所定の角度aで、円錐台状に形成されている。
【００２３】
ノズル部４４は、傾斜部４２に連続して設けられている。ノズル部４４は、円筒状で、内部に混合羽根４６が設けられている。混合羽根４６は、ノズル部４４の長さとほぼ同じ長さを有している。混合羽根４６は、螺旋状に捩じれた羽根が、羽根の捩じり方向を左右交代しつつ連続して形成されている。
【００２４】
先細部４８は、ノズル部４４の先方に設けられている。先細部４８は、段階的に開口面積が狭められており、先細部４８を任意の位置で切断することで、ノズル部４４を所望の開口面積で切断することができる。
【００２５】
キャップ２０は、円筒状で、内面に取付部３４の雄ねじ部３５に対応した雌ねじ部３７を備えている。キャップ２０は、先端の内径が狭めてあり、キャップ２０を取付部３４の雄ねじ部３５に螺合させると、キャップ２０の先端がノズル１６の傾斜部４２に係合し、ノズル１６とともに弁体１８が取付部３４に固定される。
【００２６】
次に、本発明の特徴部分である、弁体１８について説明する。弁体１８を、図３から図６に示す。
【００２７】
図３は、弁体１８の正面を示す正面図である。図４は、弁体１８を、弁体１８の中心を通る平面で破断した断面図である。図５は、弁体１８の前面を示す平面図である。図６は、弁体１８の後面を示す底面図である。
【００２８】
弁体１８は、図３に示すように、円錐台状の弁本体部６０と弁本体部６０に設けられた一対の弁流入部６２とを備えて形成されている。弁体１８は、合成樹脂材から一体に形成され、全体で適度な弾性を有している。
【００２９】
弁本体部６０は、図３において上方に位置する前面６４と、前面６４に対向した後面６６と、側面６８とを備えている。弁本体部６０の前面６４は、液剤の吐出方向であり、円形で、平坦に形成されている。前面６４には、弁片７０が設けられている。
【００３０】
側面６８は、前面６４の周囲に連続して形成されている。側面６８は、ノズル１６の傾斜部４２の傾斜角度aと等しい傾斜を有している。弁片７０は、側面６８にも一部かかって設けられている。後面６６は、平面状で、前面６４と平行に形成されている。後面６６には、弁流入部６２が設けられている。
【００３１】
弁流入部６２は、図３に示すように、２本平行に後面６６に設けられている。弁流入部６２は、図６に示すように、２つの円弧を組み合せたような凸レンズ状に形成してある。これは、前述した取付部３４の第１吐出路３６等と同じ形状である。弁流入部６２は、第１吐出路３６や第２吐出路３８にほとんど隙間を生じさせることなく挿入される。弁流入部６２の内部には、弁流路７２が形成されている。
【００３２】
弁流路７２は、弁流入部６２の後方端部に開口している。弁流路７２は、弁流入部６２の後方端部から弁本体部６０の内部に、前面６４から所定の厚みを残した部分まで延びている。前面６４から残された所定の厚み部分は、弁片７０である。
【００３３】
弁片７０は、前面６４と側面６８の双方にかけて設けられている。弁片７０は、図５に示すように、前面６４の中心Cを挟んで対向した位置に設けられている。弁片７０は、図４に示すように、所定の厚みを有し、後方に凹む球状に湾曲している。図４は、弁体１８の中心と弁片７０の中央とを通る平面で弁体１８を破断して示す図である。
【００３４】
図５に、弁体１８の前面６４を示す。図５に示すように、前面６４には、弁片７０により、前面６４の中心側に凸状に湾曲した第１縁部８０が形成されている。第１縁部８０は、前面６４に対称位置に設けられている。
【００３５】
側面６８には、弁片７０により、第２縁部８２が形成されている。第２縁部８２は、ほぼ円形形状を有している。第１縁部８０と第２縁部８２で、弁片７０が区画形成されている。
【００３６】
更に、第１縁部８０の近傍には、開口線７４が形成されている。開口線７４は、前面６４を前後に貫通した切断線である。開口線７４は、弁流路７２の内面の延長線上に形成されている。すなわち、開口線７４は、第１縁部８０より、弁片７０の厚み分前面６４の中心側に入った位置に、弁流路７２に沿って円弧状に形成されている。
【００３７】
開口線７４は、弁片７０が球状に凹に湾曲しているので、素材の弾性力により常に閉じられる方向に付勢されている。開口線７４が開くと、弁流路７２の内部は前面６４の前方側と連通する。開口線７４は、例えば、弁流路７２の側から、弁流路７２の内面に沿った形状の刃物を差し入れて形成する。刃物を差し入れて形状を形成することから、開口線７４の切り口は、隙間なく形成でき、弁片７０の密閉性を高めることができる。
【００３８】
図７に、カートリッジ１２の部分断面を示す。図７は、カートリッジ１２の取付部３４の周辺を、弁片７０が現れる方向から破断した状態を示している。弁本体部６０の側面６８は、ノズル１６の傾斜部４２の内面と傾斜が一致し、互いに密着している。
【００３９】
図８は、カートリッジ１２の取付部３４の周辺を、弁片７０の中心を通る平面で破断した状態を示す図である。図８に示すように、弁片７０と傾斜部４２との間、及び弁本体部６０の前面６４とノズル１６の傾斜部４２の内面との間には、空隙が形成されている。そのため、接着剤を吐出すると、弁片７０が膨らみ、開口線７４が開き、容易に接着剤を吐出させることが可能になるのである。
【００４０】
次に、２液混合吐出器１０の作用、効果について説明する。容器本体２２の第１容器２４には、エポキシ樹脂などの２液混合接着剤の主剤が収納されている。第２容器２５には、エポキシ樹脂等を硬化させる硬化剤が収納されている。
【００４１】
取付部３４に組み付けられている蓋を外し、取付部３４に弁体１８を嵌める。弁体１８の弁流入部６２を、第１吐出部３０と第２吐出部３２に挿入する。弁体１８を取付部３４に嵌めた後に、その上にノズル１６を取り付け、ノズル１６にキャップ２０を通して、キャップ２０を取付部３４の雄ねじ部３５にねじ込む。これにより、ノズル１６が容器本体２２に固定され、カートリッジ１２が形成される。
【００４２】
形成されたカートリッジ１２を、押出器１４の装填部５０に装填する。操作レバー５４を操作すると、押込部材５６が前進し、押し板５７等が容器本体２２の底板２８等に当接する。押込部材５６を更に前進させると、底板２８、２９が前進し、液剤が容器本体２２から所定量ずつ押し出される。操作レバー５４の操作により容器本体２２から押し出された主剤と硬化剤は、第１容器２４と第２容器２５の第１吐出路３６と第２吐出路３８を通って弁体１８の開口線７４をそれぞれ開き、弁体１８から吐出される。
【００４３】
図９に、主剤や硬化剤からの圧力で弁片７０が外方に移動し、開口線７４が開かれた状態を示す。主剤と硬化剤は、ノズル１６の内部に移動し、混合羽根４６で撹拌され、一体に混合されて先細部４８から吐出される。
【００４４】
そして、操作レバー５４の操作を停止すると、押し板は底板２８、２９の押圧を停止し、主剤と硬化剤の吐出が停止される。又、弁片７０に掛かっていた圧力が解消される。すると、弁片７０は、図８に示すように、弁片７０自身の弾性力で通常の形状に戻り、開口線７４が閉鎖される。弁片７０は、主剤と硬化剤等の液剤の吐出方向に対して逆向きに凹の湾曲した球状面を有しているので、より強い力で開口線７４が閉鎖される。
【００４５】
このように、２液混合吐出器１０によれば、第１容器２４と第２容器２５から主剤と硬化剤とを吐出させ、それらを混合羽根４６により混合させてノズル１６より確実に吐出させることができる。そして、操作レバー５４の操作を停止すると、弁体１８が閉鎖されるので、主剤や硬化剤が容器本体２２に戻ることがない。したがって、ノズル１６内から第１容器２４や第２容器２５内に液剤の逆流が発生せず、それらによる不具合が発生しない。
【００４６】
尚、本発明は、上記例に限るものではなく、適宜変更してもよい。
【産業上の利用可能性】
【００４７】
本発明は、エポキシ樹脂などの主剤と硬化剤を混合して吐出させる２液混合吐出器に用いられる。
【符号の説明】
【００４８】
１０…２液混合吐出器、１２…カートリッジ、１４…押出器、１６…ノズル、１８…弁体、２０…キャップ、２２…容器本体、２４…第１容器、２５…第２容器、２６…係合部、２８…底板、３０…第１吐出部、３２…第２吐出部、３４…取付部、３６…第１吐出路、３８…第２吐出路、４０…組付部、４２…傾斜部、４４…ノズル部、４６…混合羽根、４８…先細部、５０…装填部、５２…握り部、５４…操作レバー、５６…押込部材、６０…弁本体部、６２…弁流入部、６４…前面、６６…後面、６８…側面、７０…弁片、７２…弁流路、７４…開口線、８０…第１縁部、８２…第２縁部。
【図１】
2016159236.tif 000003
【図２】
2016159236.tif 000004
【図３】
2016159236.tif 000005
【図４】
2016159236.tif 000006
【図５】
2016159236.tif 000007
【図６】
2016159236.tif 000008
【図７】
2016159236.tif 000009
【図８】
2016159236.tif 000010
【図９】
2016159236.tif 000011